(57)【要約】【課題】浴室換気空調装置の寸法を大きくせず、圧縮機の振動を浴室換気空調装置に伝わらせず、かつ、圧縮機からの騒音を低減することを目的とする。【解決手段】冷媒を圧縮する横置き型の圧縮機１と、空気を放熱する第一熱交換器２と、冷媒を膨張する流量制御弁３と、吸熱する第二熱交換器４を順に配してなる冷凍サイクルを用いた浴室換気空調装置５において、圧縮機１の囲う遮蔽構造体６に防振構造１８を設けたことにより、振動騒音を小さくすることができる浴室換気空調装置５を提供できる。【選択図】図１
2009109028.tif 000002
【特許請求の範囲】
【請求項１】
冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを浴室換気空調装置の外郭に配した浴室換気空調装置において、前記圧縮機を横に設置し、前記圧縮機の外周部に前記圧縮機の全体を覆う遮蔽構造体を設けたことを特徴とする浴室換気空調装置。
【請求項２】
遮蔽構造体を、少なくとも、底辺には固定部材と、外周部には箱状の四角体と、上部には上部遮蔽体とで構成することを特徴とする請求項１記載の浴室換気空調装置。
【請求項３】
遮蔽構造体を、防振構造を介して浴室換気空調装置の外郭に固定することを特徴とする請求項１または２記載の浴室換気空調装置。
【請求項４】
遮蔽構造体を、浴室換気空調装置の外郭の上部と連結し固定することを特徴とする請求項１〜３のいずれかに記載の浴室換気空調装置。
【請求項５】
遮蔽構造体を、浴室換気空調装置の外郭の下部と連結し固定することを特徴とする請求項１〜４のいずれかに記載の浴室換気空調装置。
【請求項６】
圧縮機を、防振構造を介して遮蔽構造体と固定することを特徴とする請求項１〜５のいずれかに記載の浴室換気空調装置。
【請求項７】
防振構造を、遮蔽構造体の下部に位置する浴室換気空調装置の外郭に固定することを特徴とする請求項６記載の浴室換気空調装置。
【請求項８】
遮蔽構造体を、浴室換気空調装置の外郭の上部と連結し固定することを特徴とする請求項６または７記載の浴室換気空調装置。
【請求項９】
遮蔽構造体が、遮蔽構造体の下部に位置する浴室換気空調装置外郭と連結されることで固定されていることを特徴とする請求項６または７に記載の浴室換気空調装置。
【請求項１０】
遮蔽構造体が、遮蔽構造体の側面に位置する浴室換気空調装置外郭と連結されることで固定されていることを特徴とする請求項６または７に記載の浴室換気空調装置。
【請求項１１】
遮蔽構造体の内部に、吸音材を設けたことを特徴とする請求項１〜１０のいずれかに記載の浴室換気空調装置。
【請求項１２】
遮蔽構造体の外部に、吸音材を設けたことを特徴とする請求項１〜１１のいずれかに記載の浴室換気空調装置。
【発明の詳細な説明】
【技術分野】
【０００１】
本発明は、冷凍サイクルを構成し圧縮機を搭載した浴室換気空調装置の騒音および振動を防止する圧縮機の取付装置に関する。
【背景技術】
【０００２】
従来の冷凍サイクルの冷媒は、図１２に示すように、圧縮機１０１から吐出配管１０２、第一熱交換器１０３、流量制御弁１０４、第二熱交換器１０５、吸込配管１０６、アキュームレータ（図示せず）を介して圧縮機１０１に戻り、上記構成により冷凍サイクルが完成する。圧縮機１０１の取付は、圧縮機１０１を取り付ける底板１０７にボルト１０８およびナット１０９で圧縮機１０１を固定し、この圧縮機１０１と底板１０７との間に防振ゴム１１２を介して固定する。
【０００３】
さらに、圧縮機１０１とアキュームレータとの周囲をフエルトからなる防音カバー１１０巻いている（例えば、特許文献１、２参照）。
【０００４】
上記構成において、圧縮機１０１が運転すると、圧縮機１０１から騒音および振動が発生するため、圧縮機１０１の振動を防振ゴム１１２で吸収し、騒音を圧縮機１０１に巻いている防振カバー１１０内に音を封じこんだり、防音カバー１１０で騒音を吸収している。
【０００５】
しかし、圧縮機１０１の起動停止時や、冷凍サイクルの冷房、暖房、除湿運転などの運転状態によっては、圧縮機１０１の振動、騒音が大きくなる。圧縮機１０１の振動騒音が大きくなると、製品の底板１０７と接続されている圧縮機１０１の足１１１からボルト１０８と防振ゴム１１２を介して振動騒音が製品外郭に伝わり製品振動や騒音が大きくなる。
【特許文献１】特開平５−４４９６３号公報
【特許文献２】特開平８−３６３８９号公報
【発明の開示】
【発明が解決しようとする課題】
【０００６】
このような従来の冷凍サイクルの縦置き型の圧縮機および取り付け構造では、圧縮機が駆動すれば、圧縮機の縦方向の中心軸を中心に円回転し圧縮機の振動源である胴体を圧縮機下面に設けた圧縮機足で振動を抑えていたが、圧縮機の振動源である胴体を直接抑制できず、圧縮機の頂点が振られ、振動を大きくし、それに伴い圧縮機を固定している金具や、圧縮機周りに配置した配管が浴室換気空調装置を構成している板金などに接触し、振動が浴室換気空調装置に伝わり、浴室換気空調装置の振動が大きくなったり、圧縮機の音が浴室換気空調装置から漏れ騒音が大きくなり、そこで防振、防音の構造の対策することで、結果、浴室換気空調装置の大きさが大きくなって取り扱いにくくなるという課題がある。
【０００７】
本発明は、このような従来の課題を解決するものであり、浴室換気空調装置の寸法を大きくせず、圧縮機の振動を浴室換気空調装置に伝わらせず、かつ、圧縮機からの騒音を低減する浴室換気空調装置を提供することを目的とする。
【課題を解決するための手段】
【０００８】
本発明の浴室換気空調装置は、上記目的を達成するために、冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを浴室換気空調装置の外郭に配した浴室換気空調装置において、前記圧縮機を横に設置し、前記圧縮機の外周部に前記圧縮機の全体を覆う遮蔽構造体を設けたものである。
【０００９】
また、他の手段は、遮蔽構造体を、少なくとも、底辺には固定部材と、外周部には箱状の四角体と、上部には上部遮蔽体とで構成するものである。
【００１０】
また、他の手段は、遮蔽構造体を、防振構造を介して浴室換気空調装置の外郭に固定するものである。
【００１１】
また、他の手段は、遮蔽構造体を、浴室換気空調装置の外郭の上部と連結し固定するものである。
【００１２】
また、他の手段は、遮蔽構造体を、浴室換気空調装置の外郭の下部と連結し固定するものである。
【００１３】
また、他の手段は、圧縮機を、防振構造を介して遮蔽構造体と固定するものである。
【００１４】
また、他の手段は、防振構造を、遮蔽構造体の下部に位置する浴室換気空調装置の外郭に固定するものである。
【００１５】
また、他の手段は、遮蔽構造体を、浴室換気空調装置の外郭の上部と連結し固定するものである。
【００１６】
また、他の手段は、遮蔽構造体が、遮蔽構造体の下部に位置する浴室換気空調装置外郭と連結されることで固定されているものである。
【００１７】
また、他の手段は、遮蔽構造体が、遮蔽構造体の側面に位置する浴室換気空調装置外郭と連結されることで固定されているものである。
【００１８】
また、他の手段は、遮蔽構造体の内部に、吸音材を設けたものである。
【００１９】
また、他の手段は、遮蔽構造体の外部に、吸音材を設けたものである。
【発明の効果】
【００２０】
本発明によれば、冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを浴室換気空調装置の外郭に配した浴室換気空調装置において、前記圧縮機を横に設置し、前記圧縮機の外周部に前記圧縮機の全体を覆う遮蔽構造体を設けたことにより、圧縮機を横に設置することで高さ方向を低くするとともに、圧縮機の回転方向に固定させる振動の揺れがしっかり押さえられるため振動が小さくすることができ、また、遮蔽構造体で圧縮機を囲い込むことで、圧縮機特有の浴室換気空調装置から漏れる騒音を低減でき、結果、浴室換気空調装置の騒音値を低減することができるという効果のある浴室換気空調装置を提供することができる。
【００２１】
また、遮蔽構造体を、少なくとも、底辺には固定部材と、外周部には箱状の四角体と、上部には上部遮蔽体とで構成することにより、遮蔽構造体上部の開口面積が大きいため、リード線の取り付けや配管の組み立てを容易にすることができ、かつ、組み立て作業時間の短縮が図れるという効果のある浴室換気空調装置を提供することができる。
【００２２】
また、遮蔽構造体を、防振構造を介して浴室換気空調装置の外郭に固定することにより、圧縮機を横に設置することで、浴室換気空調装置の底面の設置面積が増すため、防振構造の取り付け面積が増し、さらに防振構造の取り付け自由度が増すことで、圧縮機の振動音を防振構造を取り付けた防振構造で吸収し、浴室換気空調装置の外郭に直接振動が伝わらないようにできるという効果のある浴室換気空調装置を提供することができる。
【００２３】
また、遮蔽構造体を、浴室換気空調装置の外郭の上部と連結し固定することにより、遮蔽構造体は支柱ボルトと防振構造で固定され、支柱ボルトと防振構造が固有振動を分散し共振しなくなるため、振動が減衰し浴室換気空調装置に伝えにくくなり、かつ、浴室換気空調装置の取り付ける構造物の強度によっては、浴室換気空調装置の下面が弱く、振動が伝わりやすい場合があるので、振動源である遮蔽構造体を浴室換気空調装置の上部に固定することで振動の伝播を下面に伝えにくくでき、また、短い支柱ボルトを用いるため、浴室換気空調装置の高さを高くしなく遮蔽構造体を取り付けることができるという効果のある浴室換気空調装置を提供することができる。
【００２４】
また、遮蔽構造体を、浴室換気空調装置の外郭の下部と連結し固定することにより、圧縮機振動即ち遮蔽構造体の振動は防振構造を介しているため、防振構造で振動を吸収するので、直接浴室換気空調装置の躯体に伝わらなく、かつ、横に設置の圧縮機であるため遮蔽構造体の上部に空間スペースを多くとることができるので製品高さ寸法を変えずに配管の引き回しができ、さらに、配管引き回しの自由度が増すことで曲げ部を多くとれ、配管のばね作用が働き配管応力を低減できるという効果のある浴室換気空調装置を提供することができる。
【００２５】
また、圧縮機を、防振構造を介して遮蔽構造体と固定することにより、横設置型圧縮機を用いることで振動部材の取り付け自由度および防振材の数を増すことができるため、振動をより多く吸収することができるため、浴室換気空調装置から外部への振動が伝わらないという効果のある浴室換気空調装置を提供することができる。
【００２６】
また、防振構造を、遮蔽構造体の下部に位置する浴室換気空調装置の外郭に固定することにより、遮蔽構造体内部の防振構造体、浴室換気空調装置の防振構造体で反対方向の振動を吸収しあうため、さらに圧縮機の振動を浴室換気空調装置に伝わりにくくし、浴室換気空調装置を取り付けてある躯体に振動を伝えにくくでき、また、圧縮機を横に設置することで浴室換気空調装置の底面の設置面積が増すため、防振構造の取り付け面積および取り付け自由度が増すため、圧縮機の振動をより多く吸収できるという効果のある浴室換気空調装置を提供することができる。
【００２７】
また、遮蔽構造体を、浴室換気空調装置の外郭の上部と連結し固定することにより、圧縮機の振動を遮蔽構造体内部で減衰させ、さらに、遮蔽構造体を浴室換気空調装置の天面から吊り下げ、支柱ボルトを介して防振構造を設けるので、上下左右の振幅を天面側に伝えにくくでき、浴室換気空調装置を取り付けてある構造物に振動を伝えにくくでき、また、短い支柱ボルトを用い遮蔽構造体を取り付ければ、浴室換気空調装置の高さを高くすることなく振動低減できるという効果のある浴室換気空調装置を提供することができる。
【００２８】
また、遮蔽構造体が、遮蔽構造体の下部に位置する浴室換気空調装置外郭と連結されることで固定されていることにより、横に設置する圧縮機を用いることで振動部材の取り付け自由度および防振材の数を増すことができるため、振動をより多く吸収することができるため、浴室換気空調装置から構造物に振動を伝えにくくできるという効果のある浴室換気空調装置を提供することができる。
【００２９】
また、遮蔽構造体が、遮蔽構造体の側面に位置する浴室換気空調装置外郭と連結されることで固定されていることにより、振動部材の取り付けが側面にあるため、直接製品の下部に振動が伝わらず、さらに圧縮機の振動の左右方向と上下方向をそれぞれ防振構造を設けるため、振動を方向に応じて吸収することができ、浴室換気空調装置から構造物に振動を伝えにくくできるという効果のある浴室換気空調装置を提供することができる。
【００３０】
また、遮蔽構造体の内部に、吸音材を設けたことにより、遮蔽構造体の内部に吸音材が圧縮機浴室換気空調装置から発生する音を直接吸収するため、四角体内部で音を低減しすることができ、四角体外部に音漏れが少なく、浴室換気空調装置からの騒音値が下げられることができ、また、横に設置する圧縮機の胴体部分に吸音材が巻くため、天地方向への音の抜けを吸収することができ、浴室換気空調装置は浴室の天井面に取り付けてあるため、浴室内への音の侵入を防止できるという効果のある浴室換気空調装置を提供することができる。
【００３１】
また、遮蔽構造体の外部に、吸音材を設けたことにより、遮蔽構造体外周部に巻かれた吸音材が、遮蔽構造体外部に音漏れ音を吸収することができるため、浴室換気空調装置から浴室への音の侵入を防止でき、浴室内への騒音値をさらに下げることができるという効果のある浴室換気空調装置を提供することができる。
【発明を実施するための最良の形態】
【００３２】
本発明の請求項１記載の浴室換気空調装置は、冷媒を圧縮する圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを浴室換気空調装置の外郭に配した浴室換気空調装置において、前記圧縮機を横に設置し、前記圧縮機の外周部に前記圧縮機の全体を覆う遮蔽構造体を設けたこととしたものであり、圧縮機を横に設置することで高さ方向を低くするとともに、圧縮機から発生する騒音を遮蔽構造体により吸収し、浴室換気空調装置の外部に漏れないという作用を有する。
【００３３】
また、遮蔽構造体を、少なくとも、底辺には固定部材と、外周部には箱状の四角体と、上部には上部遮蔽体とで構成することとしたものであり、固定部材に圧縮機を設置し、圧縮機の側面外周を囲う箱状の四角体を上からかぶせ、さらに四角体の上部を覆うための上部遮蔽体をのせるという作用を有する。
【００３４】
また、遮蔽構造体を、防振構造を介して浴室換気空調装置の外郭に固定することとしたものであり、圧縮機の振動が遮蔽構造体に伝わり、その遮蔽構造体の振動を防振構造により振動を吸収するという作用を有する。
【００３５】
また、遮蔽構造体を、浴室換気空調装置の外郭の上部と連結し固定することとしたものであり、遮蔽構造体の上部に位置する浴室換気空調装置の外郭から短い支柱ボルトを介して遮蔽構造体を防振構造を介して固定し、遮蔽構造体の振動即ち圧縮機振動と防振構造と、支柱ボルトを設けることで振動を分散し、かつ、遮蔽構造体の上部に位置する浴室換気空調装置の外郭、即ち天面から支柱ボルトを下ろして圧縮機を支えているため、振動の伝わりは天面側で受けるという作用を有する。
【００３６】
また、遮蔽構造体を、浴室換気空調装置の外郭の下部と連結し固定することとしたものであり、遮蔽構造体の下部に位置する浴室換気空調装置の外郭に防振構造を介して固定すれば、圧縮機振動即ち遮蔽構造体の振動は防振構造を介しているため、防振構造で振動を吸収し、かつ、遮蔽構造体を浴室換気空調装置の内部の底面に固定することで、遮蔽構造体の上部に空間スペースを作るという作用を有する。
【００３７】
また、圧縮機を、防振構造を介して遮蔽構造体と固定することとしたものであり、圧縮機が運転すると圧縮機の振動は防振構造を介して固定部材に固定してので、振動部材が圧縮機の上下方向の振幅、左右方向の振幅の揺れを遮蔽構造体内部で吸収するという作用を有する。
【００３８】
また、防振構造を、遮蔽構造体の下部に位置する浴室換気空調装置の外郭に固定することとしたものであり、圧縮機上下左右方向の振幅を減衰し、さらに、防振構造が遮蔽構造体の上下左右の振幅を減衰する、即ち、圧縮機が上下左右に揺れれば、防振構造で振動を減衰しながら、遮蔽構造体へ圧縮機の揺れる方向の反対側に力が掛かり、さらに遮蔽構造体の防振構造で振動を減衰しながら圧縮機の振動の力は浴室換気空調装置の反対に掛かるという作用を有する。
【００３９】
また、遮蔽構造体を、浴室換気空調装置の外郭の上部と連結し固定することとしたものであり、圧縮機の上下方向の振幅、左右方向の振幅の揺れを遮蔽構造体内部で吸収し、遮蔽構造体の上下左右の振幅を防振構造が一例としての支柱ボルトを介して減衰するという作用を有する。
【００４０】
また、遮蔽構造体が、遮蔽構造体の下部に位置する浴室換気空調装置外郭と連結されることで固定されていることとしたものであり、圧縮機の上下方向の振幅、左右方向の振幅の揺れを遮蔽構造体内部で吸収し、遮蔽構造体の上下左右の振幅を下部に設けた防振構造が振動を減衰するという作用を有する。
【００４１】
また、遮蔽構造体が、遮蔽構造体の側面に位置する浴室換気空調装置外郭と連結されることで固定されていることとしたものであり、圧縮機の上下方向の振幅、左右方向の振幅の揺れを遮蔽構造体内部で吸収し、遮蔽構造体の上下左右の振幅を側面に設けた防振構造が振動を減衰するという作用を有する。
【００４２】
また、遮蔽構造体の内部に、吸音材を設けたこととしたものであり、圧縮機から発生する騒音を、遮蔽構造体内部で吸音材が直接音を吸収するという作用を有する。
【００４３】
また、遮蔽構造体の外部に、吸音材を設けたこととしたものであり、遮蔽構造体内部で吸音した圧縮機音が、遮蔽構造体外周から外部に伝播し伝播音となり、遮蔽構造体外周に出てきた音は、遮蔽構造体外周部に巻かれた吸音材で音を吸収するという作用を有する。
【００４４】
以下、本発明の実施の形態について、図面を参照しながら説明する。
【００４５】
（実施の形態１）
図１および図２に示すように、冷媒を圧縮するための２ピストンまたは１ピストンロータリー式、スクロール式、その他の方式の横設置型の圧縮機１と、通過する空気に放熱するための第一熱交換器２と、冷媒を膨張するための流量制御弁３と、前記通過する空気から吸熱するための第二熱交換器４とを順に連結し、冷媒を流通させるための冷媒回路を設けた冷凍サイクルを、浴室換気空調装置５の内部に圧縮機１を横に設置し、圧縮機１の外周部に圧縮機１の全体を覆う遮蔽構造体６を設ける。
【００４６】
遮蔽構造体６は圧縮機１を固定する固定部材７と圧縮機１上面を覆う箱状の箱体８で構成され、遮蔽構造体６の内部には圧縮機１を設ける。圧縮機１の取り付けは、支柱ボルト９とワッシャー１０を固定部材７の底面に設けた穴Ａ１１に固定部材７の下面より支柱ボルト９を通し、固定部材７の上面に圧縮機１を配置する。
【００４７】
この圧縮機１には圧縮機１を支持する圧縮機足１２を設け、鉄でできた圧縮機足１２は圧縮機１下部に溶接で取り付けられ、圧縮機足１２の先端には穴Ｂ１３を設けてある。この穴Ｂ１３を固定部材７の下面より貫通させた支柱ボルト９を通し、圧縮機足１２の穴Ｂ１３上面よりナット１４で締め付け固定する。
【００４８】
上記構成により、振動源で回転機構を有する圧縮機１の胴体１５を支持している圧縮機足１２が、圧縮機１の胴体１５に設けてあるため、振動源の胴体１５を圧縮機足１２で受けとめ振動を抑制することができる。また、圧縮機１を横に設置することで高さ方向を低くすることができる。さらに、遮蔽構造体６を設けることで、圧縮機１から発生する騒音を、遮蔽構造体６の内部に封じ込め、浴室換気空調装置５浴室換気空調装置の外部に漏れない。
【００４９】
このように本発明の実施の形態１の浴室換気空調装置５によれば、圧縮機１を横に設置することで、縦方向の高さを低くするとともに、圧縮機１の駆動部である胴体１５の揺れをしっかり押さえることで振動を抑制することができ、また、遮蔽構造体６で圧縮機１を囲い込むことで、圧縮機１特有の浴室換気空調装置から漏れる騒音を低減でき、結果、浴室換気空調装置５の騒音値を低減することができることとなる。
【００５０】
（実施の形態２）
図３において実施の形態１と異なるところは、遮蔽構造体６を、少なくとも、底辺には固定部材７と、外周部には箱状の四角体１６と、上部には上部遮蔽体１７とした点である。
【００５１】
図３において、図１および図２と同じ構成要素については同じ符号を用いその説明を省略する。
【００５２】
実施の形態１の遮蔽構造体６を３分割し、底辺には固定部材７と、外周部に設けていた箱状の箱体の天面底面が無い長方形の四角体１６と、四角体１６の天面を覆いかぶせるように四隅を折り曲げた上部遮蔽体１７を設ける。
【００５３】
上記構成により、圧縮機１から発生した音を密閉するようにする。
【００５４】
このように本発明の実施の形態２の浴室換気空調装置５によれば、遮蔽構造体６上部に設けた上部遮蔽体１７を浴室換気空調装置５の天面側から着脱できるようにしているため、浴室換気空調装置５の天面側から圧縮機１の電気供給をするリード線の取り付けや、圧縮機１の吐出配管、吸込配管の取り付け組み立ての位置出しを容易にすることができため、組み立て作業時間の短縮が図れることとなる。
【００５５】
（実施の形態３）
図４において実施の形態１、実施の形態２と異なるところは、遮蔽構造体６を、防振構造１８を介して浴室換気空調装置の外郭に固定した点である。
【００５６】
ここでは、遮蔽構造体６を、浴室換気空調装置の外郭の上部と連結し固定した発明について説明する。
【００５７】
図４において、図２および図３と同じ構成要素については同じ符号を用いその説明を省略する。
【００５８】
図に示すように、浴室換気空調装置の外郭、即ち浴室換気空調装置５の外郭である天面１９にレール２０を設け、浴室換気空調装置５の天面１９に配置される。このレール２０は凹型形状としレール２０にレールボルト２１を通し、天面側でナット１４で固定する。
【００５９】
一方上部遮蔽体１７には四隅にレールボルト２１を通す穴Ｃ２２を設け、レールボルト２１の下面に配置する。このレールボルト２１にワッシャー１０と防振ゴム２３を通し、さらに上部遮蔽体１７の穴Ｃ２２を通し、ワッシャー１０とナット１４で上部遮蔽体１７を取り付ける。上部遮蔽体１７は四角体１６とネジ２４で取り付けさらに固定部材７と四角体１６もネジ２４で取り付けられている。
【００６０】
上記構成により、遮蔽構造体６の上部に位置する浴室換気空調装置５の外郭、即ち天面１９からレールボルト２１と防振ゴム２３を介して遮蔽構造体６を固定することで、遮蔽構造体６は吊り下げたかたちとなり、防振ゴム２３の弾力性で振動を吸収することができる。また、レールボルト２１長さを変えレールボルト２１の固有振動を、圧縮機１の振動周波数の振動共鳴点を外せば振動を抑えることができる。
【００６１】
このように本発明の実施の形態３の浴室換気空調装置５によれば、遮蔽構造体６はレールボルト２１と防振ゴム２３即ち防振構造１８を介しているため、振動が直接浴室換気空調装置５に伝わりにくくなる。また、浴室換気空調装置５の取り付ける構造物の強度によっては、浴室換気空調装置５の底面が弱く、振動が伝わりやすい場合があるので、振動源である遮蔽構造体６を浴室換気空調装置５の天面１９に固定することで振動の伝播を下面に伝えにくくできる。
【００６２】
（実施の形態４）
図５において実施の形態３と異なるところは、遮蔽構造体６を、浴室換気空調装置５の外郭の下部と連結し固定した点である。
【００６３】
図５において、図４と同じ構成要素については同じ符号を用いその説明を省略する。
【００６４】
図５に示すように、遮蔽構造体６を浴室換気空調装置５の外郭の下部、即ち、浴室換気空調装置５の底面２５に穴Ｄ２６を設け、固定部材７の穴Ａ１１は穴Ｄ２６と穴Ａ１１が一致するように設けてある。
【００６５】
防振構造１８として防振ゴム２３の位置は、固定部材７の下面に防振ゴム２３を配置し、浴室換気空調装置５の間に設ける。浴室換気空調装置５の底面の穴Ｄ２６位置に防振ゴム２３、固定部材７の穴Ａ１１、圧縮機１の穴Ｂ１３の順に配置する。支柱ボルト９を浴室換気空調装置５の底面２５の穴Ｄ２６より通し、防振ゴム２３、圧縮機１の順に取り付け、最後にナット１４で取り付ける。
【００６６】
上記構成により、浴室換気空調装置５の底面２５と遮蔽構造体６の間に防振ゴム２３を介しているため、遮蔽構造体６の振動を防振ゴム２３の弾力性で振動を吸収する。また、防振ゴム２３で作られた防振構造１８を、遮蔽構造体６の底面に設けているため遮蔽構造体６の上部に空間スペースを作ことができる。
【００６７】
このように本発明の実施の形態４の浴室換気空調装置５によれば、圧縮機１の振動が防振ゴム２３で作られた防振構造１８を設けることで、浴室換気空調装置５の外郭に直接振動が伝わらない。また、防振構造１８を遮蔽構造体６の下面に設けたことで、遮蔽構造体６の上部に空間スペースを多くとることができるので、このスペースを配管の引き回しに利用でき、配管の曲げ部を多く用いることができ、配管応力を低減できることとなる。また、固定部材の面積分、防振ゴムを取り付けることが可能なので、防振ゴム２３の取り付け数を多くできるため防振構造１８の設計自由度が増すことができる。
【００６８】
（実施の形態５）
図６に示すように、圧縮機１を、防振構造１８を介して遮蔽構造体６と固定する構成とする。
【００６９】
圧縮機１の遮蔽構造体６へ取り付ける防振構造１８は、固定部材７に設けた圧縮機足１２位置と一致する穴Ａ１１に、固定部材７の下面から支柱ボルト９とワッシャー１０を通し、固定部材７から出てきた支柱ボルト９に防振構造１８である防振ゴム２３と圧縮機足１２を通し、ワッシャー１０とナット１４を用いて固定部材７に固定する。
【００７０】
上記構成により、圧縮機１の振動は圧縮機足１２に設けた防振ゴム２３を介して固定部材７に取り付けているので、圧縮機１の上下左右方向の揺れを防振ゴム２３が吸収し、遮蔽構造体６の揺れを低減する。
【００７１】
このように本発明の実施の形態５の浴室換気空調装置５によれば、圧縮機１駆動部の胴体１５に設けた圧縮機足１２の振動を振動ゴム２３が直接吸収するため、遮蔽構造体６から製品浴室換気空調装置５への振動が伝播しにくくなる。また、圧縮機１の胴体１５に設けた圧縮機足１２の数を増やし、防振ゴム２３を増やせ、振動をより多く吸収することができ、さらに、浴室換気空調装置５から外部への振動が伝わりにくくできる。
【００７２】
（実施の形態６）
図７において実施の形態５と異なるところは、実施の形態５の遮蔽構造体６を、浴室換気空調装置５の外郭の上部と連結し固定する。
【００７３】
すなわち、実施の形態５に、実施の形態３を加えた点である。
【００７４】
図７において、図４と図６に用いた同じ構成要素については同じ符号を用いその説明を省略する。
【００７５】
図７に示すように、この防振構造１８は、実施の形態５の遮蔽構造体６を実施の形態３の遮蔽構造体６の上部に位置する浴室換気空調装置５外郭のレール２０とレールボルト２１と防振ゴム２３を介して浴室換気空調装置５内部に固定する構成としたものである。
【００７６】
上記構成により、圧縮機１上下左右方向の振動が発生すれば遮蔽構造体６内部に設けた防振ゴム２３の弾性力で振動を吸収し、さらに、浴室換気空調装置の外郭上部と連結する際に設けた防振ゴム２３で吸収する。即ち、圧縮機１の上下方向の振幅、左右方向の振幅の揺れを遮蔽構造体６内部で吸収し、遮蔽構造体６の上下左右の振動を防振構造１８としてレールボルト２１に設けた防振ゴム２３を介して減衰する。
【００７７】
このように本発明の実施の形態６の浴室換気空調装置５によれば、実施の形態５で説明した遮蔽構造体６内部の防振構造１８と、実施の形態３で説明した浴室換気空調装置の外郭上部と連結する際に設けた防振構造１８で上下左右のそれぞれの振動方向の振動を吸収しあうため、上下左右の振動を浴室換気空調装置５の天面１９側に伝わりにく、浴室換気空調装置５を取り付けてある構造物に振動が伝わらない。また、短いレールボルト２１を用い遮蔽構造体６を取り付ければ、浴室換気空調装置５の高さを高くすることなく振動低減できることとなる。
【００７８】
（実施の形態７）
図８において実施の形態６と異なるところは、防振構造１８を実施の形態５の遮蔽構造体６の下部に位置する浴室換気空調装置５外郭と連結した点である。
【００７９】
図７において、図５と図６に用いた同じ構成要素については同じ符号を用いその説明を省略する。
【００８０】
図８に示すように、実施の形態５の遮蔽構造体６を実施の形態４の固定部材７の下面に支柱ボルト９と防振ゴム２３からなる防振構造１８を介して浴室換気空調装置５内部に配置したものである。
【００８１】
上記構成により、圧縮機１の上下方向の振幅、左右方向の振幅の揺れを遮蔽構造体６内部で吸収し、遮蔽構造体６の上下左右の振幅を下部に設けた防振構造１８が振動を吸収する。
【００８２】
このように本発明の実施の形態７の浴室換気空調装置５によれば、遮蔽構造体６の防振構造１８を固定部材７の下面に設けることで、固定部材７の下面の面積を多くとれるため、防振構造１８の取り付け自由度の設計がしやすくなり、防振構造１８の数を増すことができる。防振構造１８を増やすことは、振動をより多く吸収することができるため、浴室換気空調装置５から構造物に振動を伝えにくくできることとなる。
【００８３】
（実施の形態８）
図９において実施の形態７と異なるところは、実施の形態５の遮蔽構造体６が遮蔽構造体６の側面に位置する浴室換気空調装置５外郭と連結した点である。
【００８４】
図９において、図６に用いた同じ構成要素については同じ符号を用いその説明を省略する。
【００８５】
図９に示すように、実施の形態５の遮蔽構造体６の四角体１６を、圧縮機１外周にあたる面に穴Ｅ２７を設け、この穴Ｅ２７に防振ゴム２３を配置し、浴室換気空調装置５側面から圧縮機１外周にあたる面の穴Ｅ２７に支柱ボルト９を通し、遮蔽構造体６を固定する。
【００８６】
上記構成により、圧縮機１の上下方向の振幅、左右方向の振幅の揺れを遮蔽構造体６内部で吸収し、遮蔽構造体６の上下左右の振幅を側面に設けた防振構造１８が振動を減衰する。
【００８７】
このように本発明の実施の形態８の浴室換気空調装置５によれば、遮蔽構造体６内で圧縮機の上下左右の振動を吸収し、さらに遮蔽構造体６で上下左右の振動を吸収することができるため直接製品の下部に伝わらず浴室換気空調装置５から構造物に振動を伝えにくくできることとなる。
【００８８】
（実施の形態９）
図１０に示すように、遮蔽構造体６の内部に配置してある圧縮機１の外周に吸音材２８を設けた構成とする。
【００８９】
上記構成により、圧縮機１から発生する騒音を、遮蔽構造体６内部で吸音材２８が直接音を吸収する。
【００９０】
このように本発明の実施の形態９の浴室換気空調装置５によれば、遮蔽構造体６の内部に吸音材２８が圧縮機１、浴室換気空調装置５から発生する音を直接吸収するため、四角体１６内部で音を低減しすることができ、四角体１６外部に音漏れが少なく、浴室換気空調装置５からの騒音値が下げられることができ、また、横に設置する圧縮機１の胴体１５部分に吸音材が巻くため、天地方向への音の抜けを吸収することができ、浴室換気空調装置５は浴室の天井面に取り付けてあるため、浴室内への音の侵入を防止できることとなる。
【００９１】
（実施の形態１０）
図１１において実施の形態９と異なるところは、実施の形態９の遮蔽構造体６の外周にあたる遮蔽構造体６の外側に吸音材２８を設けたものである。
【００９２】
図１１において、図１０に用いた同じ構成要素については同じ符号を用いその説明を省略する。
【００９３】
上記構成により、圧縮機１から発生した騒音は、遮蔽構造体６内部に設けた吸音材２８で吸音するが、遮蔽構造体６より抜け出る可能性がある。しかし、遮蔽構造体６より抜け出た騒音は、遮蔽構造体６外周に巻かれた吸音材２８で音を吸収する。
【００９４】
このように本発明の実施の形態１０の浴室換気空調装置５によれば、遮蔽構造体６外周部に巻かれた吸音材２８が、遮蔽構造体６外部に音漏れ音を吸収することができるため、浴室換気空調装置５から浴室への音の侵入を防止でき、浴室内への騒音値をさらに下げることができることとなる。
【産業上の利用可能性】
【００９５】
横設置型圧縮機を搭載した浴室換気空調装置の遮蔽構造体の防振構造を設けることによって、浴室換気空調装置の寸法を大きくせず、圧縮機の振動を浴室換気空調装置に伝わらせず、かつ、圧縮機からの騒音および振動を防止する装置に適用できる。
【図面の簡単な説明】
【００９６】
【図１】本発明の実施の形態１の浴室換気空調装置の構成を示す断面図
【図２】同浴室換気空調装置の遮蔽構造体の分解斜視図
【図３】本発明の実施の形態２の浴室換気空調装置の遮蔽構造体の分解斜視図
【図４】本発明の実施の形態３の浴室換気空調装置の遮蔽構造体の分解斜視図
【図５】本発明の実施の形態４の浴室換気空調装置の遮蔽構造体の分解斜視図
【図６】本発明の実施の形態５の浴室換気空調装置の遮蔽構造体の分解斜視図
【図７】本発明の実施の形態６の浴室換気空調装置の遮蔽構造体の分解斜視図
【図８】本発明の実施の形態７の浴室換気空調装置の遮蔽構造体の分解斜視図
【図９】本発明の実施の形態８の浴室換気空調装置の遮蔽構造体の分解斜視図
【図１０】本発明の実施の形態９の浴室換気空調装置の遮蔽構造体の分解斜視図
【図１１】本発明の実施の形態１０の浴室換気空調装置の構成図
【図１２】従来の冷凍サイクルの構成を示す構成図
【符号の説明】
【００９７】
１    圧縮機
２    第一熱交換器
３    流量制御弁
４    第二熱交換器
５    浴室換気空調装置
６    遮蔽構造体
７    固定部材
８    箱体
９    支柱ボルト
１０  ワッシャー
１１  穴Ａ
１２  圧縮機足
１３  穴Ｂ
１４  ナット
１５  胴体
１６  四角体
１７  上部遮蔽体
１８  防振構造
１９  天面
２０  レール
２１  レールボルト
２２  穴Ｃ
２３  防振ゴム
２４  ネジ
２５  底面
２６  穴Ｄ
２７  穴Ｅ
２８  吸音材
【図１】
2009109028.tif 000003
【図２】
2009109028.tif 000004
【図３】
2009109028.tif 000005
【図４】
2009109028.tif 000006
【図５】
2009109028.tif 000007
【図６】
2009109028.tif 000008
【図７】
2009109028.tif 000009
【図８】
2009109028.tif 000010
【図９】
2009109028.tif 000011
【図１０】
2009109028.tif 000012
【図１１】
2009109028.tif 000013
【図１２】
2009109028.tif 000014